(57)【特許請求の範囲】
【請求項１】
耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記フレーム枠と前記壁表側の貫通口周縁部分との間に、壁表側の貫通口周縁部分の全周に接当可能な大きさでシート状又はマット状に形成され、前記配線ボックスに対してフレーム枠を締付け固定する取付けネジの挿通孔と前記付設接続器に嵌合する開口とを有し、かつ、熱膨張によって前記貫通口を実質的に閉塞する可撓性、電気絶縁性、弾性を備えた熱膨張性耐熱樹脂が、前記取付けネジの締付け操作によって壁表側の貫通口周縁部分に接当する状態で挾持固定されている電気接続ボックス。
【請求項２】
耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記配線ボックスの開口周縁と前記壁裏側の貫通口周縁部分との間に、壁裏側の貫通口周縁部分の全周に接当可能な大きさでシート状又はマット状に形成され、前記配線ボックスに対してフレーム枠を締付け固定する取付けネジの挿通孔と前記ケーブルの挿通孔又はこれらと前記付設接続器に嵌合する嵌合口とを有し、かつ、熱膨張によって前記貫通口を実質的に閉塞する可撓性、電気絶縁性、弾性を備えた熱膨張性耐熱樹脂が、前記取付けネジの締付け操作によって壁裏側の貫通口周縁部分に接当する状態で挾持固定されている電気接続ボックス。
【請求項３】
耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記配線ボックスとフレーム枠との間に、前記貫通口の輪郭形状とほぼ同一形状の外形でシート状又はマット状に形成され、前記配線ボックスに対してフレーム枠を締付け固定する取付けネジの挿通孔と前記付設接続器に嵌合する開口とを有し、かつ、熱膨張によって前記貫通口を実質的に閉塞する可撓性、電気絶縁性、弾性を備えた熱膨張性耐熱樹脂が、前記フレーム枠の取付け部に取付けられた付設接続器と貫通口の内周面との間に入り込む状態で設けられている電気接続ボックス。
【発明の詳細な説明】
【０００１】
【発明の属する技術分野】
本発明は、電気スイッチ、電気コンセント、通信コンセント、漏電ブレーカー、警報用音響装置、暖房用パネルスイッチ等の付設接続器の一つ又は複数個を建造物の壁に埋め込み方式で取付ける場合に用いられる電気接続ボックスに関する。
【０００２】
【従来の技術】
従来の一般的な電気接続ボックスでは、図１１に示すように、壁Ｗに形成された貫通口Ｈに臨む状態で壁裏側に固定配設される金属製又は耐熱合成樹脂製の配線ボックス２と、配線ボックス２側から導出される電気ケーブル３に接続される付設接続器の一例である電気コンセント１に対する取付け部４Ａを備え、かつ、壁表側に位置する状態で配線ボックス２にネジ止め固定される金属製のフレーム枠４と、フレーム枠４の前面の周囲を覆う状態でフレーム枠４にネジ止め固定される合成樹脂製の化粧枠５と、化粧枠５に対して脱着自在に装着され、かつ、その装着時に電気コンセント１の前部が外部に臨む開口６ａを形成してある合成樹脂製の化粧カバー６とから構成されている。
【０００３】
【発明が解決しようとする課題】
この種の電気接続ボックスでは、壁Ｗに形成された貫通口Ｈを通して、壁裏側に位置する配線ボックス２と壁表側に位置するフレーム枠４とをネジ止め固定することにより、フレーム枠４の取付け部４Ａに取付けられるコンセントやスイッチ等の付設接続器１の前方側への突出量を極力少なくした状態で体裁良く取付けることができる反面、壁Ｗには必ず貫通口Ｈを形成する必要があるため、壁Ｗを石膏ボードや耐火ボード等を用いた耐熱構造壁に構成しても、火災発生よって化粧カバー６や化粧枠５等が軟化変形すると、フレーム枠４側から貫通口Ｈを通して配線ボックス２に至るまでの経路中に存在する多数の隙間、及び、配線ボックス２に形成されている多数の孔を通して火災や有害ガスが隣室側に流入する可能性がある。
【０００４】
また、耐熱構造壁に防音機能を持たせている場合でも、フレーム枠４側から貫通口Ｈを通して配線ボックス２に至るまでの経路中に存在する多数の隙間、及び、配線ボックス２に形成されている多数の孔を通して隣室側に音が漏れ易く、防音性能の低下を招来する要因になっていた。
【０００５】
本発明は、上述の実状に鑑みて為されたものであって、その主たる課題は、壁に形成された貫通口を通して、壁裏側に配設する配線ボックスに対して壁表側に位置するフレーム枠を固定しながらも、火災や有害ガスが隣室側に流入することを効果的に抑制することのできる電気接続ボックスを提供する点にある。
【０００６】
【課題を解決するための手段】
本発明の請求項１による特徴構成は、耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記フレーム枠と前記壁表側の貫通口周縁部分との間に、壁表側の貫通口周縁部分の全周に接当可能な大きさでシート状又はマット状に形成され、前記配線ボックスに対してフレーム枠を締付け固定する取付けネジの挿通孔と前記付設接続器に嵌合する開口とを有し、かつ、熱膨張によって前記貫通口を実質的に閉塞する可撓性、電気絶縁性、弾性を備えた熱膨張性耐熱樹脂が、前記取付けネジの締付け操作によって壁表側の貫通口周縁部分に接当する状態で挾持固定されている点にある。
【０００７】
上記特徴構成によれば、壁に形成された貫通口を通して、壁裏側に位置する配線ボックスと壁表側に位置するフレーム枠とを固定して、フレーム枠の取付け部に取付けられるコンセントやスイッチ等の付設接続器の前方への突出を極力少なくした状態で体裁良く取付けながらも、火災発生時には、配線ボックスと前記フレーム枠との間の貫通口内又は壁裏側、若しくは配線ボックスの内面に設けられた熱膨張性耐熱樹脂の熱膨張により、貫通口を実質的に閉塞することができるから、従来のように、フレーム枠側から貫通口を通して配線ボックスに至るまでの経路中に存在する多数の隙間、及び、配線ボックスに形成されている多数の孔を通して火災や有害ガスが隣室側に流入することを抑制することができる。
【０００８】
従って、電気接続ボックスの取付け箇所での耐火性能を向上することができ、しかも、熱膨張性の耐熱樹脂を用いて貫通口を閉塞するが故に、通常時における熱膨張性耐熱樹脂の体積は小さく、例えば、耐火パネルで製作された耐火ボックス内に電気接続ボックスを組付ける場合に比して、全体のコンパクト化と製造コストの低廉化とを図ることができる。
【００１３】
本発明の請求項２による電気接続ボックスの特徴構成は、耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記配線ボックスの開口周縁と前記壁裏側の貫通口周縁部分との間に、壁裏側の貫通口周縁部分の全周に接当可能な大きさでシート状又はマット状に形成され、前記配線ボックスに対してフレーム枠を締付け固定する取付けネジの挿通孔と前記ケーブルの挿通孔又はこれらと前記付設接続器に嵌合する嵌合口とを有し、かつ、熱膨張によって前記貫通口を実質的に閉塞する可撓性、電気絶縁性、弾性を備えた熱膨張性耐熱樹脂が、前記取付けネジの締付け操作によって壁裏側の貫通口周縁部分に接当する状態で挾持固定されている点にある。
【００１４】
上記特徴構成によれば、火災が発生したとき、壁裏面の貫通口周縁に接当する状態で介装した熱膨張性耐熱樹脂の熱膨張により、貫通口を壁裏面側から実質的に閉塞することができるから、フレーム枠側から貫通口を通して配線ボックスに至るまでの経路中に存在する多数の隙間、及び、配線ボックスに形成されている多数の孔を通して火災や有害ガスが隣室側に流入することを抑制することができる。
【００１５】
しかも、壁に取付けられている電気接続ボックスの化粧カバーと化粧枠又は化粧カバーのみを取外したのち、配線ボックスからフレーム枠を取外し、この配線ボックスと壁裏面との間に熱膨張性耐熱樹脂を介在して、再び組付けることにより、既存の電気接続ボックスに対しても簡単かつ安価に耐火性能を高めることができる。
【００１６】
更に、壁裏面の貫通口周縁と配線ボックスとの隣接間を熱膨張性耐熱樹脂で密着することが可能で、これら両者間からの騒音の漏洩を抑制して防音性能の向上を図ることができる。
【００１７】
また、前記熱膨張性耐熱樹脂が、配線ボックスとフレーム枠との隣接間に介装可能で、かつ、貫通口内に挿入配置可能な形状に成形されていてもよい。
【００１８】
上記構成によれば、火災が発生したとき、配線ボックスとフレーム枠との隣接間で、かつ、壁の貫通口内に位置する状態で介装した熱膨張性耐熱樹脂の熱膨張により、貫通口をそれの内部側から実質的に閉塞することができるから、フレーム枠側から貫通口を通して配線ボックスに至るまでの経路中に存在する多数の隙間、及び、配線ボックスに形成されている多数の孔を通して火災や有害ガスが隣室側に流入することを抑制することができる。
【００１９】
しかも、壁に取付けられている電気接続ボックスの化粧カバーと化粧枠又は化粧カバーのみを取外したのち、配線ボックスからフレーム枠を取外し、壁の貫通口内に熱膨張性耐熱樹脂を配置して、再び組付けることにより、既存の電気接続ボックスに対しても簡単かつ安価に耐火性能を高めることができる。
【００２０】
更に、壁の貫通孔内を熱膨張性耐熱樹脂で覆うことが可能で、貫通孔からの騒音の漏洩を抑制して防音性能の向上を図ることができる。
【００２８】
本発明の請求項３による電気接続ボックスの特徴構成は、耐熱構造壁に形成された貫通口の壁裏側の開口周縁部分に接当可能な状態で配設される金属製又は耐熱合成樹脂製の配線ボックスと、配線ボックス側から導出されるケーブルに接続されるコンセントやスイッチ等の付設接続器に対する取付け部を有し、かつ、壁表側の貫通口周縁部分に接当可能な状態で配線ボックスに固定される金属製のフレーム枠とが主要構成として備えられ、更に、フレーム枠の前面の周囲を覆う状態でフレーム枠に装着される化粧枠と、この化粧枠に対して付設接続器の特定部位が外部に臨む状態で脱着自在に装着される化粧カバーとの組み合わせ、若しくは、フレーム枠に対して付設接続器の特定部位が外部に臨む状態で脱着自在に装着される化粧カバーが備えられている電気接続ボックスであって、
前記配線ボックスとフレーム枠との間に、前記貫通口の輪郭形状とほぼ同一形状の外形でシート状又はマット状に形成され、前記配線ボックスに対してフレーム枠を締付け固定する取付けネジの挿通孔と前記付設接続器に嵌合する開口とを有し、かつ、熱膨張によって前記貫通口を実質的に閉塞する可撓性、電気絶縁性、弾性を備えた熱膨張性耐熱樹脂が、前記フレーム枠の取付け部に取付けられた付設接続器と貫通口の内周面との間に入り込む状態で設けられている点にある。
【００３２】
【発明の実施の形態】
〔第１実施形態〕
図1 〜図３は、石膏ボードや耐火ボード等を用いた耐熱構造壁Ｗに、付設接続器の一例である電気スイッチ又は電気コンセント１の複数個を建造物の壁に埋め込み方式で取付ける電気接続ボックスを示し、壁Ｗに形成された貫通口Ｈに臨む状態で壁裏側に固定配設される金属製又は耐熱合成樹脂製の配線ボックス２と、配線ボックス２側から導出される電気ケーブル３に接続される電気スイッチ又は電気コンセント１に対する取付け部４Ａを備え、かつ、壁表側に位置する状態で配線ボックス２に固定される金属製のフレーム枠４とが主要構成として備えられ、更に、フレーム枠４の前面の周囲を覆う状態でフレーム枠４にネジ止め固定される合成樹脂製の化粧枠５と、化粧枠５に対して脱着自在に装着され、かつ、その装着時に電気スイッチ又は電気コンセント１の特定部位である前部１ａが外部に臨む開口６ａを形成してある合成樹脂製の化粧カバー６との組合せ、若しくは、フレーム枠４に対して脱着自在に装着され、かつ、その装着時に電気スイッチ又は電気コンセント１の特定部位である前部１ａが外部に臨む開口７ａを形成してある合成樹脂製の化粧カバー７が備えられている。
【００３３】
前記配線ボックス２は、壁Ｗの裏面側から貫通口Ｈに向って開口する状態で壁裏側の胴縁や間柱等にビス等で固定されているとともに、その開口部の周縁の複数箇所には、フレーム枠４の取付け孔４ｃに挿通された取付けネジ８に対するネジ孔２ａを形成してある取付け片２ｂが折り曲げ形成されているとともに、底壁部２ｃ及び周壁部２ｄには、壁裏側に沿って配設される電気ケーブル３をボックス内側に導出するための導出口２ｅを選択的に簡易形成可能な導出口形成用脆弱部２ｆが打ち出し形成されている。
【００３４】
前記フレーム枠４の横幅寸法は貫通口Ｈの横幅寸法よりも小さく、かつ、縦幅寸法は貫通口Ｈの縦幅寸法よりも大に構成されているとともに、前記取付け部４Ａが、電気スイッチ又は電気コンセント１の一つ又は複数個を選択的に嵌合装着可能な嵌合孔４ａと、それに嵌合された電気スイッチ又は電気コンセント１を抜止め状態で係止保持するべく、電気スイッチ又は電気コンセント１に対して係合自在又は係合側に折り曲げ可能な状態で嵌合孔４ａの周縁に形成された複数の係止片４ｂとから構成されている。
【００３５】
前記フレーム枠４に対して脱着自在に係合保持される化粧枠５及び化粧カバー７の各横幅寸方及び縦幅寸法は、貫通口Ｈの横幅寸方及び縦幅寸法よりも共に大に構成されているとともに、化粧枠５には、一方の化粧カバー６が面一状態で嵌まり込む装着口５ａと、化粧カバー６の内面側に突設された係止突起６ｂに対して脱着自在に係合する係合保持可能な係止孔５ｂが形成され、更に、化粧枠５及び化粧カバー７の各々には、フレーム枠４のネジ孔４ｄに取付けネジ１０で螺合固定するためのネジ孔５ｃ，７ｂが形成されている。
【００３６】
そして、配線ボックス２とフレーム枠４との隣接間、換言すれば、壁Ｗの表面の貫通口Ｈ周縁部分とフレーム枠４との隣接間には、壁Ｗ表面の貫通口Ｈ周縁部分に接当可能な枠状で、かつ、熱膨張によって貫通口Ｈを表側から実質的に閉塞する可撓性、電気絶縁性、弾性を備えた熱膨張性耐熱樹脂９が介在されていて、この熱膨張性耐熱樹脂９は、化粧枠５及び化粧カバー７の各輪郭形状と同一形状の外形でシート状又はマット状に成形されているとともに、シート状又はマット状の熱膨張性耐熱樹脂９には、フレーム枠４に嵌合装着された一つ又は複数個の電気スイッチ又は電気コンセント１と嵌合できるように、フレーム枠４の嵌合孔４ａと略同じ寸法で矩形状に形成された開口９ａと、フレーム枠４の取付け孔４ｃに挿通された取付けネジ８に対する上下一対の挿通孔９ｂとが形成されている。
【００３７】
前記熱膨張性耐熱樹脂９の組成には、炭酸カルシウム等の無機質充填材、熱膨張性基材、ゴム成分、合成樹脂等を含有しており、熱膨張性基材としては、膨張黒鉛、バーミキュライト、アルカリ金属ケイ酸塩などを挙げることができる。
【００３８】
また、前記熱膨張性耐熱樹脂３の熱膨張倍率も任意に設定することが可能であるが、当該実施形態では４倍〜２０倍の範囲内に設定している。
【００３９】
そして、火災が発生したとき、配線ボックス２とフレーム枠４との隣接間に介装した枠状の熱膨張性耐熱樹脂９の熱膨張により、貫通口Ｈを壁表側から実質的に閉塞することができるから、フレーム枠４側から貫通口Ｈを通して配線ボックス２に至るまでの経路中に存在する多数の隙間、及び、配線ボックス２に形成されている多数の孔を通して火災や有害ガスが隣室側に流入することを抑制することができる。
【００４０】
しかも、壁Ｗに取付けられている電気接続ボックスのフレーム枠４に対して、化粧カバー６と化粧枠５又は化粧カバー７を取外したのち、配線ボックス２からフレーム枠４を取外し、これら両者２，４間に枠状に成形された熱膨張性耐熱樹脂９を介在したのち、フレーム枠４を配線ボックス２を固定し、化粧カバー６と化粧枠５又は化粧カバー７を再び組付けることにより、既存の電気接続ボックスに対しても簡単かつ安価に耐火性能を高めることができる。
【００４１】
更に、壁Ｗ表面の貫通口Ｈ周縁とフレーム枠４との隣接間を熱膨張性耐熱樹脂９で密着することが可能で、これら両者間からの騒音の漏洩を抑制して防音性能の向上を図ることができる。
【００４２】
〔第２実施形態〕
上述の第１実施形態では、、配線ボックス２とフレーム枠４との隣接間に、熱膨張によって貫通口Ｈを表側から実質的に閉塞する可撓性、電気絶縁性、弾性を備えた枠状の熱膨張性耐熱樹脂９を介在させたが、図４、図５に示すように、この枠状に成形された可撓性、電気絶縁性、弾性を備えた熱膨張性耐熱樹脂９を、フレーム枠４と化粧枠５との隣接間又はフレーム枠４と化粧カバー７との隣接間に介装して実施しても良い。
【００４３】
そして、火災が発生したとき、フレーム枠４と化粧枠５との隣接間又はフレーム枠４と化粧カバー７との隣接間に介装した枠状の熱膨張性耐熱樹脂９の熱膨張により、貫通口Ｈを壁表側から実質的に閉塞することができるから、フレーム枠４側から貫通口Ｈを通して配線ボックス２に至るまでの経路中に存在する多数の隙間、及び、配線ボックス２に形成されている多数の孔を通して火災や有害ガスが隣室側に流入することを抑制することができる。
【００４４】
しかも、壁に取付けられている電気接続ボックスのフレーム枠４に対して、化粧カバー６と化粧枠５又は化粧カバー７のみを取外したのち、フレーム枠４と化粧枠５との隣接間又はフレーム枠４と化粧カバー７との隣接間に、枠状に成形された熱膨張性耐熱樹脂９を介在して、再び組付けることにより、既存の電気接続ボックスに対しても簡単かつ安価に耐火性能を高めることができる。
【００４５】
更に、フレーム枠４と化粧枠５との隣接間又はフレーム枠４と化粧カバー７との隣接間を熱膨張性耐熱樹脂９で密着することができるから、これら両者間からの騒音の漏洩を抑制して防音性能の向上を図ることができる。
尚、その他の構成は、第１実施形態で説明した構成と同一であるから、同一の構成箇所には、第１実施形態と同一の番号を付記してそれの説明は省略する。
【００４６】
〔第３実施形態〕
図６、図７に示すように、可撓性、電気絶縁性、弾性を備えたシート状、マット状又はブロック状の熱膨張性耐熱樹脂９を、配線ボックス２の内面全体又はほぼ全体に添設して実施しても良い。
【００４７】
そして、火災が発生したとき、配線ボックス２の内面全体に添設された熱膨張性耐熱樹脂９の熱膨張により、貫通口Ｈを壁裏側から実質的に閉塞することができるから、フレーム枠４側から貫通口Ｈを通して配線ボックス２に至るまでの経路中に存在する多数の隙間、及び、配線ボックス２に形成されている多数の孔を通して火災や有害ガスが隣室側に流入することを抑制することができる。
【００４８】
しかも、配線ボックス２の内面全体又は略全体に添設された熱膨張性耐熱樹脂９により、騒音が配線ボックス２に形成されている多数の孔を通して隣室側に漏洩することを抑制することができ、防音性能の向上を図ることができる。
尚、その他の構成は、第１実施形態で説明した構成と同一であるから、同一の構成箇所には、第１実施形態と同一の番号を付記してそれの説明は省略する。
【００４９】
〔第４実施形態〕
図８に示すように、配線ボックス２とフレーム枠４との隣接間、換言すれば、壁Ｗの裏面の貫通口Ｈ周縁部分と配線ボックス２との隣接間に、壁Ｗ裏面の貫通口Ｈ周縁部分に接当可能で、かつ、熱膨張によって貫通口Ｈを裏面側から実質的に閉塞する可撓性、電気絶縁性、弾性を備えた熱膨張性耐熱樹脂９を介在させて実施していも良い。
【００５０】
前記熱膨張性耐熱樹脂９は、配線ボックス２の輪郭形状と同一形状の外形でシート状又はマット状に成形されているとともに、シート状又はマット状の熱膨張性耐熱樹脂９には、フレーム枠４に嵌合装着された一個又は複数個の電気スイッチ又は電気コンセント１から導出される電気コード３の挿通孔９ｃと、フレーム枠４の取付け孔４ｃに挿通された取付けネジ８に対する上下一対の挿通孔９ｂとが形成されている。
【００５１】
尚、その他の構成は、第１実施形態で説明した構成と同一であるから、同一の構成箇所には、第１実施形態と同一の番号を付記してそれの説明は省略する。
【００５２】
〔第５実施形態〕
上述の第４実施形態では、前記熱膨張性耐熱樹脂９に、フレーム枠４に嵌合装着された一個又は複数個の電気スイッチ又は電気コンセント１から導出される電気コード３の挿通孔９ｃを形成したが、図９に示すように、フレーム枠４に嵌合装着された一個又は複数個の電気スイッチ又は電気コンセント１が配線ボックス２側に大きく突出する場合には、その突出する電気スイッチ又は電気コンセント１と嵌合する嵌合孔９ａを形成して実施しても良い。
【００５３】
〔第６実施形態〕
図１０に示すように、配線ボックス２とフレーム枠４との隣接間に、壁Ｗの貫通口Ｈ内に挿入配置可能で、かつ、壁Ｗ裏面の貫通口Ｈ周縁部分に接当可能で、かつ、熱膨張によって貫通口Ｈの内部側から実質的に閉塞する可撓性、電気絶縁性、弾性を備えた枠状の熱膨張性耐熱樹脂９を介在させて実施していも良い。
【００５４】
前記熱膨張性耐熱樹脂９は、貫通口Ｈの輪郭形状とほぼ同一形状の外形でシート状又はマット状に成形されているとともに、シート状又はマット状の熱膨張性耐熱樹脂９には、フレーム枠４に嵌合装着された一つ又は複数個の電気スイッチ又は電気コンセント１と嵌合できるように、フレーム枠４の嵌合孔４ａと略同じ寸法で矩形状に形成された開口９ａと、フレーム枠４の取付け孔４ｃに挿通された取付けネジ８に対する上下一対の挿通孔９ｂとが形成されている。
【００５５】
尚、熱膨張性耐熱樹脂９は、貫通口Ｈの何れの位置に配置されていても良い。
また、その他の構成は、第１実施形態で説明した構成と同一であるから、同一の構成箇所には、第１実施形態と同一の番号を付記してそれの説明は省略する。
【００５６】
〔第７実施形態〕
図１に示す化粧カバー７又は化粧枠５を、可撓性、電気絶縁性、弾性を備えた熱膨張性耐熱樹脂９で成形して実施しても良い。
尚、その他の構成は、第１実施形態で説明した構成と同一であるから、同一の構成箇所には、第１実施形態と同一の番号を付記してそれの説明は省略する。
【００５７】
〔その他の実施形態〕
（１）上述の各実施形態では、付設接続器１として電気スイッチ又は電気コンセントを例に挙げて説明したが、付設接続器１としては、通信コンセント、漏電ブレーカー、警報用音響装置、暖房用パネルスイッチ等であっても良い。
【００５８】
（２）上述の各実施形態では、配線ボックス２から導出されるケーブルとして、電気ケーブを例に挙げたが、光ケーブル等であっても良い。
【００５９】
（３）上述の第１実施形態では、少なくとも可撓性及び電気絶縁性を備えた熱膨張性耐熱樹脂９を、配線ボックス２とフレーム枠４との隣接間に介装し、また、第２実施形態では、少なくとも可撓性及び電気絶縁性を備えた熱膨張性耐熱樹脂９を、フレーム枠４と化粧枠５との隣接間又はフレーム枠４と化粧カバー７との隣接間に介装したが、この熱膨張性耐熱樹脂９を、フレーム枠４又は化粧枠５若しくは化粧カバー７に付設して実施しても良い。
【００６０】
（４）また、配線ボックス２、フレーム枠４、化粧枠５、又は化粧カバー７のうちの二つ以上に、熱膨張によって貫通口を実質的に閉塞する熱膨張性耐熱樹脂９を設けて実施しても良く、更に、配線ボックス２、フレーム枠４、化粧枠５、化粧カバー７の各隣接間の二個所以上に、熱膨張によって貫通口を実質的に閉塞する熱膨張性耐熱樹脂９を設けて実施しても良い。
【００６１】
（５）更に、配線ボックス２、フレーム枠４、化粧枠５、又は化粧カバー７の少なくとも一つと、それらの隣接間の少なくとも一箇所とに、熱膨張によって貫通口を実質的に閉塞する熱膨張性耐熱樹脂９を設けて実施しても良い。
【図面の簡単な説明】
【図１】本願発明の第１実施形態を示す電気接続ボックスの分解斜視図
【図２】電気接続ボックスの取付け時における断面側面図
【図３】フレーム枠の正面図
【図４】本願発明の第２実施形態を示す電気接続ボックスの分解斜視図
【図５】電気接続ボックスの取付け時における断面側面図
【図６】本願発明の第３実施形態を示す電気接続ボックスの分解斜視図
【図７】電気接続ボックスの取付け時における断面側面
【図８】本願発明の第４実施形態を示す電気接続ボックスの断面側面図
【図９】本願発明の第５実施形態を示す電気接続ボックスの断面側面図
【図１０】本願発明の第６実施形態を示す電気接続ボックスの断面側面図
【図１１】従来の電気接続ボックスの分解斜視図
【符号の説明】
Ｈ      貫通口
Ｗ      壁
１      付設接続器（電気スイッチ、電気コンセント）
１ａ    特定部位（前部）
２      配線ボックス
３      ケーブル（電気ケーブル）
４      フレーム枠
４Ａ    取付け部
５      化粧枠
６      化粧カバー
７      化粧カバー
９      熱膨張性耐熱樹脂
【図１】
0004384386.tif 000002
【図２】
0004384386.tif 000003
【図３】
0004384386.tif 000004
【図４】
0004384386.tif 000005
【図５】
0004384386.tif 000006
【図６】
0004384386.tif 000007
【図７】
0004384386.tif 000008
【図８】
0004384386.tif 000009
【図９】
0004384386.tif 000010
【図１０】
0004384386.tif 000011
【図１１】
0004384386.tif 000012